(57)【特許請求の範囲】
【請求項１】
乗りかごに展望用窓を有し、上記乗りかごの運転を制御するための薄型の制御装置が昇降路のピットに設置されたマシンルームレスタイプの展望用エレベータにおいて、
上記制御装置が最下階のフロアレベルから上に突出する部分よりも高い位置に上記展望用窓が設けられ、
上記乗りかご内の利用者の目線に上記制御装置が入らないように上記展望用窓のかご床面からの高さが設定されることを特徴とする展望用エレベータ。
【請求項２】
上記昇降路のピットの深さに応じて上記展望用窓のかご床面からの高さが変更されることを特徴とする請求項１記載の展望用エレベータ。
【請求項３】
上記乗りかご内の上記展望用窓の下部に設けられた側板の内側表面が鏡面に形成されていることを特徴とする請求項１記載の展望用エレベータ。
【請求項４】
上記昇降路のピットに上記制御装置の最下階のフロアレベルから上の突出部分の周辺を照らすための照明機器が設置されていることを特徴とする請求項１記載の展望用エレベータ。
【請求項５】
乗りかごに展望用窓を有し、上記乗りかごの運転を制御するための薄型の制御装置が昇降路のピットに設置されたマシンルームレスタイプの展望用エレベータにおいて、
上記展望用窓がかご床面の位置まで設けられていると共に、上記展望用窓の内側のかご床面から上記制御装置が最下階のフロアレベルから上に突出する部分よりも高い位置に不透明の側板が上記制御装置の突出部分を隠すように設けられ、
上記乗りかご内の利用者の目線に上記制御装置が入らないように上記側板のかご床面からの高さが設定されることを特徴とする展望用エレベータ。
【請求項６】
上記昇降路の外側の通路上に設けられた落下防止用の壁を備え、
上記壁の上記制御装置が通路面から上に突出する部分よりも高い位置に透明な部材が用いられ、その位置から通路面までは上記制御装置の突出部分を隠すように不透明な部材が用いられていることを特徴とする請求項１乃至５のいずれか１つに記載の展望用エレベータ。
【請求項７】
上記昇降路の外側の通路を通行する通行者の目線に上記制御装置が入らないように上記記壁の不透明部分の通路面からの高さが設定されることを特徴とする請求項６記載の展望用エレベータ。
【発明の詳細な説明】
【技術分野】
【０００１】
本発明の実施形態は、乗りかごの窓から外の景色を展望できる展望用エレベータに関する。
【背景技術】
【０００２】
エレベータの乗りかごに展望用の窓を設けると共に、昇降路の壁面をガラス等で透明に構成することで、乗りかごの窓から外の景色を展望できるようにした展望用エレベータがある。
【０００３】
この種の展望用エレベータでは、意匠性を向上させるため、乗りかごの窓を部分的にすりガラスに切り替えたり、鏡として扱えるように反射面に切り替えられるものがある。また、かご枠などの外部構造物を隠す目的で、乗りかごの外装を枠位置まで延長したものなどがある。
【先行技術文献】
【特許文献】
【０００４】
【特許文献１】特開平７−１５７２４５号公報
【特許文献２】特開平７−３１５７３０号公報
【特許文献３】特開２００３−１０４６３６号公報
【発明の概要】
【発明が解決しようとする課題】
【０００５】
上述した展望用エレベータでは、乗りかごの展望窓が大きいほど、視界を広くすることができ、展望用としての美観を確保できる。しかしながら、展望窓を大きくすると、かご床面の近くにまで窓ガラスが広がるため、乗客が誤って蹴ってしまったり、台車や車いすなどが衝突して、窓ガラスが破損する危険性が高くなる。
【０００６】
また、近年、エレベータの機械室をなくして、制御装置を昇降路内に設置した所謂「マシンルームレスエレベータ」が普及している。このようなマシンルームレスエレベータを展望用にした場合、昇降路内に設置した制御装置が乗りかごの中から見えてしまい、美観を損ねる問題が生じる。
【０００７】
したがって、マシンルームレスタイプで昇降路内に制御装置を設置した際に、展望用としての美観を損ねることのない展望用エレベータが求められる。
【課題を解決するための手段】
【０００８】
実施形態によれば、乗りかごに展望用窓を有し、上記乗りかごの運転を制御するための薄型の制御装置が昇降路のピットに設置されたマシンルームレスタイプの展望用エレベータにおいて、上記制御装置が最下階のフロアレベルから上に突出する部分よりも高い位置に上記展望用窓が設けられ、上記乗りかご内の利用者の目線に上記制御装置が入らないように上記展望用窓のかご床面からの高さが設定された展望用エレベータが提供される。
【０００９】
また、別の実施形態によれば、乗りかごに展望用窓を有し、上記乗りかごの運転を制御するための薄型の制御装置が昇降路のピットに設置されたマシンルームレスタイプの展望用エレベータにおいて、上記展望用窓がかご床面の位置まで設けられていると共に、上記展望用窓の内側のかご床面から上記制御装置が最下階のフロアレベルから上に突出する部分よりも高い位置に不透明の側板が上記制御装置の突出部分を隠すように設けられ、上記乗りかご内の利用者の目線に上記制御装置が入らないように上記側板のかご床面からの高さが設定された展望用エレベータが提供される。
【図面の簡単な説明】
【００１０】
【図１】図１は第１の実施形態に係る展望用エレベータの構成を概略的に示す断面図である。
【図２】図２は第２の実施形態に係る展望用エレベータの構成を概略的に示す断面図である。
【図３】図３は第３の実施形態に係る展望用エレベータの構成を概略的に示す断面図である。
【図４】図４は第４の実施形態に係る展望用エレベータの構成を概略的に示す断面図である。
【図５】図５は第５の実施形態に係る展望用エレベータの構成を概略的に示す断面図である。
【図６】図６は第６の実施形態に係る展望用エレベータの構成を概略的に示す断面図である。
【発明を実施するための形態】
【００１１】
以下、図面を参照して実施形態を説明する。
【００１２】
（第１の実施形態）
図１は第１の実施形態に係る展望用エレベータの構成を概略的に示す断面図であり、昇降路内の最下階の構成と乗りかごの構成を側面側から見た状態を示している。
【００１３】
展望用エレベータは、建物の外面部に透明体で囲った昇降路１０あるいは建物内の吹き抜け部に設けられた昇降路１０を有する。この昇降路１０内に乗りかご１１が昇降可能に設けられている。なお、図１では、乗りかご１１を昇降動作させるためのロープや巻上機等の機構部分は省略されている。
【００１４】
乗りかご１１の正面の出入り口には、かごドア１２が開閉自在に取り付けられている。かごドア１２は、乗りかご１１が各階の乗場２１に着床したときに、その乗場２１に設けられた乗場ドア２２と係合して開閉する。
【００１５】
また、乗りかご１１の正面を除く３方の面（左右の側面と背面）のうち、少なくとも背面側の側板１３に対し、透明性を有するガラス等で形成された展望窓１４が設けられている。乗りかご１１内に乗車した利用者Ａは、この展望窓１４を通じて外の景色を展望することができる。また、この展望用エレベータは、マシンルームレスタイプでもあり、乗りかご１１の運転を制御するための制御装置２０が昇降路１０内に設置されている。
【００１６】
ここで、展望用エレベータの場合は、乗りかご１１内や昇降路１０の外側からの意匠性を高めるべく、美観対策が必要となる。特に、昇降路１０に囲みがなく、各階床が吹き抜けのフロアとなるような建物では、制御装置２０を設置するスペースが僅かとなるため、制御装置２０を物理的に収めることは勿論のこと、利用者に対して、美観を損ねない配置を検討する必要がある。
【００１７】
この場合、制御装置２０を昇降路１０の最上部に設置すると、乗りかご１１の中からも昇降路１０の外側からも制御装置２０が見えてしまうため、美観を著しく損なうと共に、頭上の制御装置２０に不安を感じさせてしまう。
【００１８】
そこで、図１に示すように、昇降路１０の底部であるピット１０ａ内において、乗場２１とは反対側の面と乗りかご１１との隙間に薄型の制御装置２０を縦置きで設置している。なお、「縦置き」とは、装置本体の平面を垂直（昇降方向）に向けた状態で設置することを言う。
【００１９】
昇降路１０のピット１０ａの深さｈは、エレベータの定格速度によって規制される。上記深さｈは、最下階で停止している乗りかご１１の底面からピット１０ａの床面までの長さである。
【００２０】
昇降路１０のピット１０ａに制御装置２０を設置する場合に、乗りかご１１との間隔を空けるため、できるだけピット１０ａの床面に寄せて設置することが好ましい。しかし、ピット１０ａの深さｈに対し、縦置きした制御装置２０の高さ方向（昇降方向）の長さＷ１が長い場合には、最下階のフロアレベルよりも上に制御装置２０の一部が突出してしまう。
【００２１】
一方、乗りかご１１に設けられた展望窓１４は、構造的には、かご室の天井面から床面付近まで広げることが可能である。展望用としての美観を求めるならば、展望窓１４を広く取る方がよい。しかし、上述したように、昇降路１０のピット１０ａに設置された制御装置２０の一部が最下階のフロアレベルよりも上に突出するため、乗りかご１１が最下階に停止したときに、利用者Ａから制御装置２０が見えてしまい、展望用としての美観を損ねる。
【００２２】
そこで、本実施形態では、最下階のフロアレベルを基準にして、制御装置２０がそのフロアレベルから上に突出している部分の長さＷ２よりも高い位置に展望窓１４を設けている。この展望窓１４の下部はかご室の側板１３であり、不透明な部材で形成されているため、制御装置２０の突出部分をマスクすることができる。
【００２３】
さらに、利用者Ａの平均的な身長を考慮し、図中の矢印で示すように、展望窓１４の近くに立つ利用者Ａの目線に制御装置２０が入らないように、展望窓１４のかご床面からの高さを設定しておくことが好ましい。
【００２４】
このように、第１の実施形態によれば、展望用エレベータにおいて、昇降路のピット内に制御装置を設置した場合に、ピットの深さと制御装置の高さ方向の長さとの関係から乗りかごが最下階に停止したときに制御装置が見えない高さに合わせて展望窓を設けておくことで、展望用としての美観を維持することができる。
【００２５】
また、展望用窓がかご床面から制御装置の突出部分よりも高い位置にあることで、利用者による蹴りや、台車や車いすの衝突等による窓ガラスの破損を防ぐことができる。また、展望用窓の下の側板に手すりを容易に設置することも可能となる。更に、展望用窓の下が側板でマスクされるので、昇降路外から乗りかご内の利用者の足元を覗かれないための対策にもなる。
【００２６】
（第２の実施形態）
次に、第２の実施形態について説明する。
【００２７】
図２は第２の実施形態に係る展望用エレベータの構成を概略的に示す断面図であり、昇降路内の最下階の構成と乗りかごの構成を側面側から見た状態を示している。なお、上記第１の実施形態における図１の構成と同じ部分には同一符号を付して、その説明は省略するものとする。
【００２８】
第２の実施形態では、上記第１の実施形態の構成に加え、昇降路１０の外側からの美観にも配慮したものである。すなわち、建物の最下階の昇降路１０の外側の通路３１には、法規上、落下防止のための強固な壁３２を設けておく必要がある。しかし、この落下防止用の壁３２の全てを透明部材で構成すると、通路３１を通行する通行者Ｂから制御装置２０が見えてしまい、展望用としての美観を損ねる。
【００２９】
そこで、図２に示すように、昇降路１０の外側の通路面を基準にして、昇降路１０のピット１０ａに設置された制御装置２０がその通路面から上に突出している部分の長さをＷ３とする。この突出部分の長さＷ３よりも高い位置に透明部材である防護ガラス３３を配し、その下の部分は制御装置２０を隠すために不透明な部材で形成された壁３２を設けておく。
【００３０】
さらに、通行者Ｂの平均的な身長を考慮し、図中の矢印で示すように、通行者Ｂの目線に制御装置２０が入らないように、壁３２の通路面からの高さ位置Ｐを設定し、その高さ位置Ｐまでを不透明な部材で形成することが好ましい。
【００３１】
このように、第２の実施形態によれば、上記第１の実施形態の効果に加えて、昇降路のピットに設置された制御装置の突出部分を隠すように、昇降路の外側に通路上に設けられた落下防止用の壁に不透明部分を設けることで、昇降路外からも制御装置を見えにくくすることができ、展望用としての美観を維持することができる。
【００３２】
また、通行者が落下防止用の壁のガラス部分に寄りかかったり、蹴ったりすることを防ぐと共に、台車等の衝突によるガラスの破損を防ぐことができる。
【００３３】
（第３の実施形態）
次に、第３の実施形態について説明する。
【００３４】
図３は第３の実施形態に係る展望用エレベータの構成を概略的に示す断面図であり、昇降路内の最下階の構成と乗りかごの構成を側面側から見た状態を示している。なお、上記第１および第２の実施形態における図１および図２の構成と同じ部分には同一符号を付して、その説明は省略するものとする。
【００３５】
第３の実施形態では、昇降路１０のピット１０ａの深さｈに応じて、展望窓１４のかご床面からの高さを変更するものである。すなわち、昇降路１０のピット１０ａの深さｈは定格速度や建築条件などによって定められ、物件（建物）によって異なる。そこで、物件毎にピット１０ａの深さｈと制御装置２０の高さ方向の長さＷ１との関係から展望窓１４のかご床面からの高さを適宜設定し、その高さに合わせて展望窓１４を設けるものとする。
【００３６】
図３の例では、昇降路１０のピット１０ａの深さｈが上記第１および第２の実施形態における図１および図２の構成よりも深い。よって、ピット１０ａに制御装置２０を設置した場合に、制御装置２０が最下階のフロアレベルから上に突出する部分が少なくなるので、その分、展望窓１４のかご床面からの高さを短く設定することができる。
【００３７】
同様に、建物の最下階の昇降路１０の外側の通路３１に設けられた落下防止用の壁３２についても、制御装置２０が通路面から上に突出する部分が少なくなるので、その分、防護ガラス３３の通路面からの高さを短く設定することができる。
【００３８】
このように、第３の実施形態によれば、上記第１および第２の実施形態の効果に加えて、昇降路のピット深さに応じて展望窓のかご床面からの高さを変更することにより、物件毎に制御装置を適切に隠しながら、展望用としての美観を確保することができる。
【００３９】
また、昇降路のピット深さに応じて昇降路外に設けられる落下防止用壁の不透明部分の通路面からの高さを変更することにより、物件毎に制御装置を適切に隠しながら、外から見た場合の意匠性を上げることができる。
【００４０】
（第４の実施形態）
次に、第４の実施形態について説明する。
【００４１】
図４は第４の実施形態に係る展望用エレベータの構成を概略的に示す断面図であり、昇降路内の最下階の構成と乗りかごの構成を側面側から見た状態を示している。なお、上記第１および第２の実施形態における図１および図２の構成と同じ部分には同一符号を付して、その説明は省略するものとする。
【００４２】
第４の実施形態では、乗りかご１１の天井面からかご床面の近くまで展望窓１４が広く設けられており、その展望窓１４の内側に側板１３が設けられている。この側板１３は不透明な部材からなり、かご床面から制御装置２０が最下階のフロアレベルから上に突出している部分の長さＷ２よりも高い位置に設けられている。つまり、乗りかご１１の外側面全体に配された展望窓１４に対し、その展望窓１４の下側部分を隠すように側板１３が設けられている。
【００４３】
さらに、利用者Ａの平均的な身長を考慮し、図中の矢印で示すように、側板１３の近くに立つ利用者Ａの目線に制御装置２０が入らないように、側板１３のかご床面からの高さを設定しておくことが好ましい。
【００４４】
なお、この側板１３は、昇降路１０のピット１０ａに設置された制御装置２０の突出部分をマスクすると共に、利用者による蹴りや、台車や車いす等の衝突による展望窓１４の破損を防ぐ目的で設けられるが、例えばスリットを設けるなどして意匠性を持たせるようにしても良い。
【００４５】
このように、第４の実施形態によれば、乗りかごのかご床面まで展望窓を設け、その展望窓の下側部分を隠すように側板を設けることでも、上記第１の実施形態と同様に、乗りかご内の利用者から制御装置を見えにくくして、展望用エレベータとしての美観を維持することができる。さらに、乗りかごの外面全体に展望窓が配されているので、外側から見たときの意匠性を向上させることができる。
【００４６】
（第５の実施形態）
次に、第５の実施形態について説明する。
【００４７】
図５は第５の実施形態に係る展望用エレベータの構成を概略的に示す断面図であり、昇降路内の最下階の構成と乗りかごの構成を側面側から見た状態を示している。なお、上記第１および第２の実施形態における図１および図２の構成と同じ部分には同一符号を付して、その説明は省略するものとする。
【００４８】
第５の実施形態では、上記第１および第２の実施形態の構成に加え、乗りかご１１の展望窓１４の下側に設けられた側板１３の内側表面が鏡面１５で形成されている。側板１３の内側表面を鏡面１５とする具体的な方法としては、ガラスを用いた鏡を貼り付ける他、板材を鏡面仕上げにする方法などがある。
【００４９】
展望窓１４のかご床面からの高さは、昇降路１０のピット１０ａに設けられた制御装置２０が最下階のフロアレベルから上に突出している部分の長さＷ２よりも高い位置に設定されている。
【００５０】
また、建物の最下階の昇降路１０の外側の通路３１には、制御装置２０が通路面から上に突出している部分の長さＷ３よりも高い位置に透明性の防護ガラス３３が設けられ、その下の部分は制御装置２０を隠すために不透明な部材からなる壁３２が設けられている。
【００５１】
このように、第５の実施形態によれば、上記第１および第２の実施形態の効果に加えて、昇降路のピットに設置された制御装置を隠している側板の内側表面を鏡面とすることで、車いす利用者の背後の視界を確保できるなど、利便性を高めることができる。
【００５２】
（第６の実施形態）
次に、第６の実施形態について説明する。
【００５３】
図６は第６の実施形態に係る展望用エレベータの構成を概略的に示す断面図であり、昇降路内の最下階の構成と乗りかごの構成を側面側から見た状態を示している。なお、上記第１および第２の実施形態における図１および図２の構成と同じ部分には同一符号を付して、その説明は省略するものとする。
【００５４】
第６の実施形態では、上記第１および第２の実施形態の構成に加え、昇降路１０のピット１０ａに設けられた制御装置２０の上端部に照明機器（アップライト）４０を設けて、この照明機器４０の光で制御装置２０の上端部付近を照らすように構成されている。
【００５５】
なお、照明機器４０としては、昇降路１０内で使用可能なものであれば、どのようなものであってもよい。また、照明機器４０の設置場所は制御装置２０の上端部に限らず、制御装置２０の上端部付近の昇降路１０の内側であってもよい。
【００５６】
展望窓１４のかご床面からの高さは、昇降路１０のピット１０ａに設けられた制御装置２０が最下階のフロアレベルから上に突出している部分の長さＷ２よりも高い位置に設定されている。
【００５７】
また、建物の最下階の昇降路１０の外側の通路３１には、制御装置２０が通路面から上に突出している部分の長さＷ３よりも高い位置に透明性の防護ガラス３３が設けられ、その下の部分は制御装置２０を隠すために不透明な部材からなる壁３２が設けられている。
【００５８】
このように、第６実施形態によれば、上記第１および第２の実施形態の効果に加えて、昇降路のビットに設けられた制御装置を照明機器の光によって隠すことができると共に、建物の最下階の周囲がライトアップされて意匠性を向上させることができる。
【００５９】
なお、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６０】
１０…昇降路、１０ａ…ピット、１１…乗りかご、１２…かごドア、１３…側板、１４…展望窓、１５…鏡面、２０…制御装置、２１…乗場、２２…乗場ドア、３１…通路、３２…落下防止用の壁、３３…防護ガラス、４０…照明機器。
【図１】
0005578963.tif 000002
【図２】
0005578963.tif 000003
【図３】
0005578963.tif 000004
【図４】
0005578963.tif 000005
【図５】
0005578963.tif 000006
【図６】
0005578963.tif 000007